(57)【要約】【課題】  監視カメラ等のカメラ端末の増設を容易に対応でき、カメラ端末からの映像情報を出画させるのに優先順位を持たせることができるインターホンシステムを提供する。【解決手段】  モニタ付親機に出画されるカメラ端末を選択する信号切替装置２に、予め設定された優先順位に従ってカメラ端末を切り替えて出画操作する優先制御回路１２を設ける共に、優先制御回路１２を動作させる優先制御信号を生成する人感センサ５を信号切替装置２に接続した。人感センサ５の動作出力により優先制御回路１２は、モニタ親機が出画しているカメラ端末に関わりなく、信号切換装置２は優先設定されたカメラ端末の少なくとも映像信号をモニタ付親機に伝送し出画させた。【選択図】  図２
2005109572.tif 000002
【特許請求の範囲】
【請求項１】
複数のカメラ端末と、前記複数のカメラ端末から送られてくる映像信号を切り替えるための信号切替装置と、前記信号切替装置を介して前記複数のカメラ端末に切替接続されるモニタ付親機とを備えたインターホンシステムにおいて、
前記信号切替装置は、前記複数のカメラ端末から送られてくる信号のうち少なくとも映像信号を予め設定された優先順位により切替制御する優先制御手段を有し、前記信号切替装置に接続されたセンサスイッチからの優先制御信号を受けて、前記優先制御手段が、前記複数のカメラ端末から入力される映像信号を優先順位に従って切り替えて、優先設定されたカメラ端末の映像信号を前記モニタ付親機に送信するための制御を行うことを特徴とするインターホンシステム。
【請求項２】
前記複数のカメラ端末及びモニタ付親機が通話手段を有する場合において、前記優先制御手段は、前記優先制御信号を受けて、優先設定されたカメラ端末の映像信号、又は映像信号及び通話信号を前記モニタ付親機に送信するための制御を行うことを特徴とする請求項１記載のインターホンシステム。
【請求項３】
前記複数のカメラ端末及びモニタ付親機が通信手段を有する場合において、前記優先制御手段は、前記優先制御信号を受けて、優先設定されたカメラ端末の映像信号、又は映像信号及びデータ信号を前記モニタ親機に送信するための制御を行うことを特徴とする請求項１又は２記載のインターホンシステム。
【請求項４】
前記信号切替装置は、前記優先制御手段が切替制御する優先順位を変更設定するための優先順位設定手段を有することを特徴とする請求項１乃至３の何れかに記載のインターホンシステム。
【請求項５】
前記センサスイッチが優先対象のカメラ端末であって、カメラ端末から出力される優先制御信号により、前記優先制御手段は切替制御することを特徴とする請求項１乃至４の何れかに記載のインターホンシステム。
【請求項６】
前記センサスイッチが前記モニタ付親機であって、モニタ付親機側から入力される情報を受けて、前記優先制御手段は前記複数のカメラ端末を設定された優先順位に従って切替制御することを特徴とする請求項１乃至５の何れかに記載のインターホンシステム。
【請求項７】
前記センサスイッチが、人感センサ、近接スイッチ、防犯センサ等の防犯機器であことを特徴とする請求項１乃至６の何れかに記載のインターホンシステム。
【請求項８】
前記複数のカメラ端末は、集合住宅のエントランスに設置されるカメラ付集合玄関機、集合住宅のエントランスに設置されるエントランスカメラ、ゴミ収集所等の共用部に設置される共用部カメラのうち少なくとも一つを含むことを特徴とする請求項１乃至７の何れかに記載のインターホンシステム。
【発明の詳細な説明】
【技術分野】
【０００１】
本発明は、映像信号の伝送を伴うインターホンシステムに関し、特に複数の映像信号を切り替えて出画動作するインターホンシステムに関する。
【背景技術】
【０００２】
従来、カメラ付の玄関子機や監視カメラ等の複数のカメラ端末を備えたインターホンシステムの場合、信号切替装置をカメラ端末とモニタ付親機の間に設けて、入力される複数の映像信号を信号切替装置により切り替えて、モニタ付親機に何れか１つの映像信号を送っていた（例えば、特許文献１参照）。
【特許文献１】特開２００３−１９８７４２号公報
【発明の開示】
【発明が解決しようとする課題】
【０００３】
このような複数のカメラ端末を切り替えてインターホン親機に何れか１つのカメラ端末の映像を出画させるインターホンシステムの場合、信号切替装置は玄関子機から呼び出し操作があった場合に玄関子機との接続を優先する機能を備えている程度で、特定のカメラ端末の映像を優先するような機能はなかった。そのため、監視カメラの映像をモニタ付親機にて出画していても、来訪者があった場合には映像が玄関子機のカメラ映像に替わってしまい、防犯機能を十分発揮できないでいた。
しかし、一般家庭での防犯意識の高まりにより、特に集合住宅では監視カメラ設置の要望が強くなっている。また、そのような監視カメラの映像を優先して出画できる機能を備えたインターホンシステムが望まれている。
【０００４】
そこで、本発明は、監視カメラ等のカメラ端末の増設を容易に対応でき、カメラ端末からの映像情報を出画させるのに優先順位を持たせることができるインターホンシステムを提供することを目的とする。
【課題を解決するための手段】
【０００５】
上記課題を解決するため、請求項１の発明は、複数のカメラ端末と、複数のカメラ端末から送られてくる映像信号を切り替えるための信号切替装置と、信号切替装置を介して複数のカメラ端末に切替接続されるモニタ付親機とを備えたインターホンシステムにおいて、信号切替装置は、複数のカメラ端末から送られてくる信号のうち少なくとも映像信号を予め設定された優先順位により切替制御する優先制御手段を有し、信号切替装置に接続されたセンサスイッチからの優先制御信号を受けて、優先制御手段が、複数のカメラ端末から入力される映像信号を優先順位に従って切り替えて、優先設定されたカメラ端末の映像信号をモニタ付親機に送信するための制御を行うことを特徴とする。
このように構成することで、優先制御手段により特定のカメラ端末の映像を優先してモニタ付親機に出画するので、優先映像出画中に玄関子機が操作されても映像が切り替わらないようにできるし、モニタ付親機と玄関子機が接続された状態であっても、自動で優先端末の映像に切り替わるようにでき、不審者の監視等の防犯対策に効果的である。
また、従来のインターホンに、本発明を構成する信号切替装置を介在させれば、優先動作するカメラ端末の増設が可能で、モニタ付親機等を変更することなく本発明のシステムを構成できる。  
【０００６】
請求項２の発明は、請求項１の発明において、複数のカメラ端末及びモニタ付親機が通話手段を有する場合において、優先制御手段は、優先制御信号を受けて、優先設定されたカメラ端末の映像信号、又は映像信号及び通話信号をモニタ付親機に送信するための制御を行うことを特徴とする。
この構成により、優先出画されるカメラ端末が玄関子機、或いはそのような通話手段を有している機器の場合は、映像に加えて通話機能も優先接続することができる。そのため、緊急通報等を確実に伝えることができ、防犯に効果的である。
【０００７】
請求項３の発明は、請求項１又は２の発明において、複数のカメラ端末及びモニタ付親機が通信手段を有する場合において、優先制御手段は、優先制御信号を受けて、優先設定されたカメラ端末の映像信号、又は映像信号及びデータ信号をモニタ親機に送信するための制御を行うことを特徴とする。尚、ここで言う通信手段は、例えばカメラのパン／チルト操作等のデータ信号を送受する手段を言う。
この構成により、優先接続されるカメラ端末が通信手段を有する場合は、その通信手段も合わせて優先接続できるので、例えば優先出画された撮像画像を見ながらカメラのパン／チルト操作を実施でき、不審者の監視等防犯対策に更に効果的である。
【０００８】
請求項４の発明は、請求項１乃至３の何れかの発明において、信号切替装置が、優先制御手段が切替制御する優先順位を変更設定するための優先順位設定手段を有することを特徴とする。
この構成により、優先順位を設定或いは変更ができるので、カメラ端末の配置変更や増設等をしても最適の優先順位を設定でき、システムを変更しても効果的に動作させることができる。
【０００９】
請求項５の発明は、請求項１乃至４の何れかの発明において、センサスイッチが優先対象のカメラ端末であって、カメラ端末から出力される優先制御信号により、優先制御手段は切替制御することを特徴とする。
この構成により、優先動作するカメラ端末を操作すれば、優先してモニタ付親機に接続されようにできるし、人感センサ等のセンサスイッチをカメラ端末に接続して優先制御信号をカメラ端末から伝送させることもでき、例えば駐車場等からの緊急呼び出しに対応したりすることも可能となり、防犯に効果的である。
【００１０】
請求項６の発明は、請求項１乃至５の何れかの発明において、センサスイッチがモニタ付親機であって、モニタ付親機側から入力される情報を受けて、優先制御手段は複数のカメラ端末を設定された優先順位に従って切替制御することを特徴とする。
この構成により、モニタ付親機の操作でモニタ画面を切り替えることができるし、モニタ付親機に直接人感センサ等のセンサスイッチを設けて、その出力する優先制御信号によりモニタ画面を切り替えることもできる。
【００１１】
請求項７の発明は、請求項１乃至６の何れかの発明において、センサスイッチが、人感センサ、近接スイッチ、防犯センサ等の防犯機器であことを特徴とする。
この構成により、不審者の侵入等で防犯機器が動作したら優先設定されたカメラ端末からの映像が出画操作されるので、不審者の侵入を確実に出画させることができる。
【００１２】
請求項８の発明は、請求項１乃至７の何れかの発明において、複数のカメラ端末は、集合住宅のエントランスに設置されるカメラ付集合玄関機、集合住宅のエントランスに設置されるエントランスカメラ、ゴミ収集所等の共用部に設置される共用部カメラのうち少なくとも一つを含むことを特徴とする。
この構成により、集合住宅において、防犯機能を備えたインターホンシステムを構成できる。
【発明の効果】
【００１３】
このように、モニタ付親機に接続されるカメラ端末に優先順位が設定されるので、優先順位の低いカメラ端末の映像がモニタ親機に出画されていても、優先制御信号の入力があったら優先設定されたカメラ端末の映像を割り込ませて出画するので、例えば、玄関子機からの呼出操作により、モニタ付親機が玄関子機のカメラ映像を出画していても、優先制御信号を受けて優先設定された例えば監視カメラの映像を出画するので、不審者の映像を優先して出画させることができる。また、通話信号等も優先させれば、例えば駐車場等からの緊急急呼び出しに対応したりすることも可能となり、防犯に効果的である。
【発明を実施するための最良の形態】
【００１４】
以下、本発明を具体化した実施の形態を、図面に基づいて詳細に説明する。図１は本発明に係るインターホンシステムの実施形態の一例を示すブロック図であり、１はカメラ１ａを備えたカメラ端末としての玄関子機、２はカメラ端末を切り替える信号切替装置、３はテレビモニタ３ａを備えたモニタ付親機（以下、単に親機とする。）、４はカメラ端末としての監視カメラ、５は後述する優先制御信号を出力するセンサスイッチとしての人感センサである。玄関子機１、親機３、監視カメラ４、人感センサ５は夫々信号線６（６ａ〜６ｄ）により信号切替装置２に接続され、玄関子機１と監視カメラ４は信号切替装置２を介して親機３に接続されている。
尚、監視カメラ４は、カメラを備えた撮像回路４ａに加えてマイク４ｂ及びスピーカ４ｃを備え、通話可能となっている。
【００１５】
図２は、信号切替装置２の回路ブロック図を示している。図示するように、信号切替装置２は、入力を切替操作する切替回路８を備え、玄関子機１からの信号線６ａが第１信号分離多重回路９を介して切替回路８の入力側に接続され、親機３からの信号線６ｂが第２信号分離多重回路１０を介して切替回路８の出力側に接続されている。また、監視カメラ４からの信号線６ｃは映像信号と通話信号が独立して構成され、そのうち通話信号部が通話多重回路１１を介して切替回路８の入力側に接続されている。
切替回路８は、映像切替回路８ａ、通話切替回路８ｂ、データ切替回路８ｃの３つから構成されている。各切替回路８ａ〜８ｃは２接点を切り替えるよう構成され、一方の接点は全て第１信号分離多重回路９に接続され、映像切替回路８ａの他方の接点は監視カメラ４の撮像回路４ａに接続され、通話切替回路８ｂの他方の接点は通話多重回路１１を介して監視カメラ４のマイク４ｂ及びスピーカ４ｃに接続されている。
【００１６】
また、１２は優先制御手段としての優先制御回路、１３は優先順位設定手段としての優先設定回路であり、切替回路８は優先制御回路１２により切替操作を受け、優先制御回路１２は優先設定回路１３により優先順位が設定される。そして、人感センサ５が信号線６ｄを介して優先制御回路１２に接続され、人感センサ５の動作信号が優先制御信号として優先制御回路１２に入力され、この信号を受けて監視カメラ４の撮像映像が優先出画される。
尚、優先制御回路１２は、例えば信号切替装置２の各回路を制御するマイコンが利用できるし、優先設定回路１３は制御プログラムにより、優先順位を数値入力するよう構成すればよい。また、優先制御信号を出力するセンサスイッチは人感センサ５でなくとも良く、窓枠等に設置して窓等の開閉を検知する近接センサ、赤外線等を利用したセンサ等も効果的に使用できる。更に、切替回路８は２入力を選択する構成となっているが、カメラ端末の数にあわせて構成されるもので、切り替えるカメラ端末が例えば４つの場合は、切替回路は４端子を切り替えるスイッチが使用される。
【００１７】
次に、このインターホンシステムの動作を説明する。通常、切替回路８は玄関子機１に接続されており、玄関子機１から呼出操作が行われると、信号切替装置２に呼出信号（データ信号）及び映像信号が出力される。この呼出信号及び映像信号は、第１信号分離多重回路９で映像信号、通話信号、データ信号に分離され、夫々の切替回路８（８ａ〜８ｃ）へ入力される。切替回路８は玄関子機１側に接続されているため、呼出信号（データ信号）はデータ切替回路８ｃ、映像信号は映像切替回路８ａを通過して第２信号分離多重回路１０へ送られ、更に信号線６ｂを経て親機３へ伝送され、親機３にて呼出処理が行われる。
親機３から通話応答した場合には、映像信号、データ信号の他、通話信号も親機３と玄関子機１との間が接続されているため玄関子機１の映像が出画されて通話可能な状態となる。
【００１８】
この状態で、人感センサ５が動作したら、優先設定回路１３により設定された優先順位に従い優先制御回路１２が優先制御を実施し、優先制御回路１２は玄関子機１と監視カメラ４の優先を判断して切替回路を切り替える。
この実施形態の場合、玄関子機１より監視カメラ４を優先する設定になっているので、人感センサ５が動作して優先制御信号が出力されたら、各切替回路８（８ａ〜８ｃ）は監視カメラ４側へ切り替えられる。これにより、親機３のモニタ３ａに出画される画像は映像切替回路８ａの切り替えにより、監視カメラ４の撮像回路４ａからの映像信号に切り替わり、通話も通話切替回路８ｂにより通話多重信号回路１１を介して、監視カメラ４のマイク４ｂ、スピーカ４ｃを用いた通話へ切り替わる。
【００１９】
尚、データ切替回路８ｃも切替可能な構成となっているが監視カメラ４にはデータ信号が無いので、この場合玄関子機１との接続が開放されるだけとなる。但し、監視カメラ４にデータ信号の送受機能があれば、データ切替回路の切り替えにより、例えばカメラのパン／チルト操作が可能となる。
また、優先順位は映像信号のみ設定しても良く、そうすれば、監視カメラ映像出画中に玄関子機１が操作されたら、通話切替回路８ｂのみ玄関子機１に接続させることができ、居住者は来訪者を認識できる。また、監視カメラが撮像回路のみ備え、マイク及びスピーカを持たない場合は、当然、映像切替回路のみ切替操作すればよい。
【００２０】
このように、親機と玄関子機が接続された状態であっても、優先制御回路により自動で特定のカメラ端末の映像を優先して親機に出画すると共に、通話も優先接続されるので、不審者等を確実に出画させることができ、また緊急通報等を確実に伝えることができ、防犯に効果的である。また、映像信号のみ優先順位を設定しても良く、そうすれば優先制御回路が動作しても来訪者と通話ができ、来訪者に迷惑をかけるようなことがない。
更に、優先設定回路により優先順位を設定或いは変更できるので、カメラ端末の配置やカメラ端末数を変更しても最適の優先順位を設定でき、システム変更をしても効果的に動作させることができる。
また、上記信号切替装置を用いて優先制御信号を生成するセンサスイッチとして上述するような人感センサを信号切替装置に接続すれば、既存のインターホンに優先動作させたい監視カメラ等のカメラ端末の増設が可能となり、モニタ付親機等を変更することなく図１の如きシステムを容易に構成できる。
【００２１】
図３は本発明の他の例を示し、集合住宅に適用したインターホンシステムを示している。図３において、１６はカメラを備えた集合玄関機、１７はシステムを制御する集合制御機、１８，１８・・は親機（モニタ付親機）であり、親機１８は居室１９毎に設置されている。尚、図３では２つの居室１９ａ，１９ｂを示し、一方を第１居室１９ａ、他方を第２居室１９ｂとする。
集合玄関機１６は、集合制御機１７を介して各居室１９の親機１８に信号線２０により接続されている。第１居室１９ａには上述する信号切替装置２が設置され、この信号切替装置２を介して、第１居室１９ａの親機１８は集合住宅インターホンの信号線２０に接続されている。そして、信号切替装置２には監視カメラ４、人感センサ５が接続されている。
【００２２】
このように、集合住宅の場合、例えば第１居室１９ａに信号切替装置２を設けることができ、集合玄関機１６と集合制御機１７と親機１８とから成る集合住宅インターホンの呼出・通話において、第１居室１９ａの親機１８は、上記図１の構成と同様に、信号切替装置２が機能して設定された優先順位に従い映像を切り替えて出画するよう構成できる。従って、集合住宅用のインターホン機器を交換することなく、親機１８は同一の機器を使用しながら任意の居室（ここでは第１居室１９ａ）に優先動作する監視カメラ４を容易に増設できる。
【００２３】
図４，図５は本発明の更に他の例を示している。図４は図３と同様に集合住宅に適用したインターホンシステムを示し、図５は図４の信号切替装置の回路ブロック図を示している。この例では、集合玄関機１６と集合制御機１７の間に信号切替装置２２を介在させ、集合制御機１７は信号線２０により各居室１９の親機（モニタ付親機）２３と接続されている。そして、信号切替装置２２には監視カメラ４が接続されている。
信号切替装置２２は、上記図２と同様に、切替回路８、第１信号分離多重回路９、第２信号分離多重回路１０、通話多重回路１１、優先制御回路１２、優先設定回路１３を備え、更にデータ受信回路２４が設けられている。
【００２４】
このデータ受信回路２４は、第２信号分離多重回路１０のデータ信号出力部に接続されると共に優先制御回路１２に接続され、第２信号分離多重回路１０から送られてきたデータ信号の中から優先制御回路１２を動作させる優先制御信号を検出し、優先制御回路１２を動作させる回路であり、親機２３がセンサスイッチを兼ねている。尚、親機２３には優先切替動作させるための優先スイッチ（図示せず）が設けられている。
親機２３から信号線２０に優先制御信号が出力されたら、この信号（データ信号）は集合制御機１７を経由して信号切替装置２２に送られる。この優先制御信号は、第２信号分離多重回路１０でデータ信号として分離され、データ受信回路２４により受信される。これにより、データ受信回路２４は優先制御信号を優先制御回路１２に出力して、集合玄関機１６と通話している最中でも、優先制御回路１２は、監視カメラ４に切り替えられる。
このように、親機から優先制御信号が出力される構成としても良く、例えば監視カメラ４をエントランス内に集合玄関機１６とは独立して設置することで、防犯性能の向上を図ることができる。また、親機に直接人感センサ等のセンサスイッチを設けて、その出力により親機から優先制御信号を出力させてモニタ画面を切り替えることもできる。
【００２５】
尚、上記実施形態では、監視カメラ４にマイク４ｂ、スピーカ４ｃを設けて通話可能としたが、映像のみの優先で良い場合は撮像回路４ａのみで良い。また、第１及び第２信号分離多重回路９，１０を用いて映像信号，通話信号，データ信号を多重して伝送する構成となっているが、多重せずに個々の信号毎に信号線を設けて伝送し、各々の信号に対する切替回路へ直接接続しても同様の効果を得ることは言うまでもない。
また、信号切替装置２を１台としインターホンシステムを構成しているが、複数の信号切替装置を直列に接続してシステムを構成することもできる。また、監視カメラ４を通話多重回路１１を介して切替回路８に接続しているが、通信手段を有する場合は信号分離多重回路を介して切替回路８に接続すれば良い。また、センサスイッチを１つとしているが、複数の優先制御信号の入力部を設けて複数のセンサスイッチを組み合わせて優先動作を行うこともできる。
更に、優先するカメラ端末から直接優先制御信号を出力させても良く、そうすれば優先動作するカメラ端末を操作すれば、優先してモニタ付親機に接続されるので、例えば駐車場等からの緊急呼び出しに対応したりすることも可能となり、防犯に効果的である。
【図面の簡単な説明】
【００２６】
【図１】本発明に係るインターホンシステムの一例を示すブロック図である。
【図２】図１の信号切替装置の回路ブロック図である。
【図３】本発明のインターホンシステムの他の接続例を示す図である。
【図４】本発明のインターホンシステムの更に他の接続例を示す図である。
【図５】図４の信号切替装置の回路ブロック図である。
【符号の説明】
【００２７】
１・・玄関子機（カメラ端末）、２・・信号切替装置、３・・親機（モニタ付親機）、４・・監視カメラ（カメラ端末）、５・・人感センサ（センサスイッチ）、８・・切替回路、８ａ・・映像切替回路、８ｂ・・通話切替回路、８ｃ・・データ切替回路、１２・・優先制御回路、１３・・優先設定回路、１６・・集合玄関機（カメラ端末）、１８・・親機（モニタ付親機）、２２・・信号切替装置、２３・・親機（モニタ付親機）。
【図１】
2005109572.tif 000003
【図２】
2005109572.tif 000004
【図３】
2005109572.tif 000005
【図４】
2005109572.tif 000006
【図５】
2005109572.tif 000007